(57)【特許請求の範囲】
【請求項１】
対になっている二つのフックに結合されたジャカード織機のリフター機構であり、それら二つのフックの各々は、ナイフ５０の各１サイクル運動で、互いに逆位相で上がり下がりの運動をする二つのナイフの一方によって連行され、あるいは、上端または下端で保持され、またそれら二つのフックは、リフターのローラに掛かっているリフターコードによって１本またはより多くの縦糸に結合され、それにより、ナイフ５０の引き続く２サイクルの運動の際、前記の縦糸は、フックの選択の仕方次第で、三つの相異なるレベルへと動かされる、ジャカード織機のリフター機構において、そのリフター機構が、二つのローラ（２６，２７）を有する一つのリフターエレメント（２１）と一つのローラ（３８）を有する一つのローラエレメント（３１）を含んでおり、ローラエレメント（３１）は、組み合って働く二つのフック（２９，３０）の下方に固定されており、１本のリフターコード（２８）が、一端において一方のフック（２９）に結合され、下方へと延び、リフターエレメント（２１）の上側ローラ（２６）の下側にかかって反転してから上方へと延び、他方の端においてフック（３０）に結合されており、リフターエレメント（２１）は、二つのフック（２９，３０）の下方に吊り下げられてローラエレメント（３１）の上方にあり、１本のリフターコード（４７）が、一端においてフック（３０）に、前記のリフターコード（２８）の隣りの位置で結合され、下方へと延び、ローラエレメント（３１）のローラ（３８）の下側に掛かって反転してから上方へと延び、リフターエレメント（２１）の下側ローラ（２７）の上側に掛かって反転してから下方へと延び、ローラエレメント（３１）よりも下方において１本またはより多くの縦糸に結合されている、ことを特徴とするジャカード織機のリフター機構。
【請求項２】
リフターエレメント（２１）とローラエレメント（３１）の一方あるいは両方の設計において、それらのものの側方外面はナイフの方向に対して直角をなしているが、それらの各々が有するローラ（２６，２７，３８）の少なくとも一つは、そのローラに掛かっている一本のリフターコード（２８，４７）が、前記ローラのいずれか一方の側面を、ナイフの方向に対して直角な別々の面内を垂直方向に延びるように設計／配置されている、請求項１記載のジャカード織機のリフター機構。
【請求項３】
リフターエレメント（２１）とローラエレメント（３１）一方あるいは両方の設計、およびそれらの各々が有するローラ（２６，２７，３８）の少なくとも一つのものの設計と配置は、ローラ（２６，２７，３８）の同じ側において互いに隣り合って垂直方向に延びているリフターコードの部分が、ナイフの方向に対して直角をなす別々の面内を延びていて、その間隔は、リフター機構の作動の間に前記のリフターコードの部分が互いに擦り合うことを避けるために十分な大きさであるようになっている、請求項１または２記載のジャカード織機のリフター機構。
【請求項４】
ローラ（２６，２７，３８）の少なくとも一つのものは、ナイフの方向に垂直な面内には位置していないシャフト（２４，２５，３７）上に位置している、請求項１ないし３のいずれか１項に記載のジャカード織機のリフター機構。
【請求項５】
リフターエレメント（２１）が、相互に平行で間に幾らかの間隔をおいて向き合って相互に固定されている二つの一方に長い形の側板（２２，２３）を含んでおり、それら側板（２２，２３）の両方の端の近くにおいてシャフト（２４，２５）が一方の側板（２２）から他方の側板（２３）へと延びており、それらシャフト（２４，２５）上にローラ（２６，２７）が回転可能に取り付けられている、請求項１ないし４のいずれか１項に記載のジャカード織機のリフター機構。
【請求項６】
リフターエレメント（２１）のシャフト（２４，２５）が相互に平行配置されており、各シャフト軸線の高さの水平面内で、各シャフト（２４，２５）の軸線と側板（２２，２３）の一方のものの外面の垂線との間に角度αが形成されており、各々での角度αの大きさとシャフト（２４，２５）の傾斜方向とは、リフターエレメント（２１）を配置した際に、リフターコード（２８，４７）がそれぞれローラ（２６，２７）に掛かり一方のフック（２９）の下方に延びているリフターコードの部分は、ナイフの方向に対して直角な垂直面内にあり、前記垂直面は、フック（２９）の垂直対称線上でリフターコード（２８）をフック（２９）に結合した点を含み、他方のフック（３０）の下方に延びているリフターコードの部分はナイフの方向に対して直角な別の垂直面内にあり、該垂直面は、フック（３０）の垂直対称線上にない点でリフターコード（２８）をフック（３０）に結合した点を含む、請求項５記載のジャカード織機のリフター機構。
【請求項７】
リフターエレメント（２１）の側板（２２，２３）は、それら側板の内面が角度をもって置かれたローラ（２６，２７）と平行になるように形成されており、前記リフターエレメント（２１）の静止位置において、前記の側板（２２，２３）の外面は、ナイフの方向に対して直角な垂直面内にある、請求項６記載のジャカード織機のリフター機構。
【請求項８】
リフターエレメント（２１）の側板の一方（２３）が、下方へと延びているリフターコード（４７）が沿っているところの垂直方向に延びているエッジ部の外面に、高さ全体に亘ったリセス（４８）を有しており、それの壁がリフターコード（４７）を案内し得る、請求項５ないし７のいずれか１項に記載のジャカード織機のリフター機構。
【請求項９】
ローラエレメント（３１）には、固定のための手段（３３）を有するベース部分（３２）が設けられており、そのベース部分（３２）の上には、二つの直立した側板（３６，４１）が旋回可能に結合されており、その固定手段と側板（３６，４１）の旋回可能な結合は、それら側板（３６，４１）がナイフの方向に対して直角の方向にある一つの水平のシャフト（４０）に対して旋回可能に配置され、且つ、一つのシャフト（３７）が一方の側板（３６）から他方の側板（４１）へと延びていて、そのシャフト（３７）上に一つのローラ（３８）が回転可能に取り付けられている、請求項１ないし８のいずれか１項に記載のジャカード織機のリフター機構。
【請求項１０】
ローラエレメント（３１）のシャフト（３７）が角度をなして配置されており、そのシャフトの軸線の高さの水平面内で、シャフト（３７）の軸線と側板（３６，４１）の一方のものの外面の垂線の間に角度βが形成されており、その角度βの大きさとシャフト（３７）の傾斜方向は、ローラエレメント（３１）が固定されたとき、ローラ（３８）に掛かっていて一方のフック（２９）の下方で延びているリフターコード（４７）の部分がナイフの方向に対して直角な一つの面内にあり、その面は、フック（２９）の垂直対称線上でリフターコード（２８）がフック（２９）に結合されている点を含み、他方のフック（３０）の下方で延びている前記リフターコード（４７）の部分は、ナイフの方向に対して直角な別の一つの垂直面内にあり、この垂直面は、前記リフターコード（２８）がフック（３０）に結合されている点に対してフック（３０）の垂直対称線の反対側に沿って前記リフターコード（４７）が前記フック（３０）に結合されている結合点を含む様になっている、請求項１ないし９のいずれか１項に記載のジャカード織機のリフター機構。
【請求項１１】
ローラエレメント（３１）の側板（３６，４１）は、それら側板の１部分（３６’’，４１’’）の内面が角度をもって置かれたローラ（３８）と平行になるように形成されており、側板（３６，４１）の形成され方と固定用手段（３３）の設けられ方は、前記のローラエレメント（３１）が固定されたとき、前記の側板（３６，４１）のそれぞれの外面がナイフの方向に対して直角な垂直面内にあるようになっている、請求項１ないし１０のいずれか１項に記載のジャカード織機のリフター機構。
【請求項１２】
ローラエレメント（３１）がビーム形のベース部分（３２）を有していて、そのベース部分には下側壁が開いているＴ字形断面のリセス（３３）が設けられており、ベース部分の上側壁にはそれと直角をなして直立するリブ（３２’）が幅方向に延びて設けられていて、そのリブの上にブッシュ（３９）が、対称位置で水平にベース部分（３２）の長さ方向に延びて取り付けられており、そのブッシュの中にはシャフト（４０）が、そのブッシュ（３９）のどちら側にも突出して回転可能なように取り付けられており、両方の側板（３６，４１）がそれぞれにシャフト（４０）の各端に固定されており、それら両方の側板（３６，４１）は、それらが結合されている点の高さで下方領域に沿って、両方のエッジが平行で一方に長い形の部分（３６’，４１’）を有しており、その上端には幅が広くなったそれぞれのヘッド部（３６’’，４１’’）があって、それらヘッド部は上部で丸くなっており、側板（３６）のヘッド部（３６’’）の中心にシャフト（３７）が固定されていて、そのシャフト上には回転するローラ（３８）が取り付けられており、他方のヘッド部（４１’’）の中心に左右円形対称の凹部（４２）が設けられ、その凹部の中心に開口（４４）が設けられており、シャフト（３７）が開口（４４）の中に入り込んでいて、ローラ（３８）は部分的に凹部（４２）の壁で包囲されており、両方の側板（３６，４１）の間とローラ（３８）の回りには、リフターコード（４７）が上方からこのローラの下側を経て反転して上方へ向かうように通され得るために十分なスペースが残されており、側板（４１）の下方部分（４１’）の内側にはＵ字形の掘り下げ部分（４３）があって、その掘り下げ部分の互いに平行な両方の壁（４３’）は、その側板（４１）の下端から出発して上方において一つの曲線壁（４３’’）を介して相互に合体しており、この掘り下げ部分の（４３）には、曲線壁（４３’’）の近くにおいて、シャフト（４０）が入り込むところの開口（４５）が設けられている、請求項１ないし１１のいずれか１項に記載のジャカード織機のリフター機構。
【請求項１３】
ローラエレメント（３１）の側板（３６，４１）の一方の側板の外面壁の片側において、幅が広くなった部分（４１’’）の高さ全体に亘っているリセス（４６）が設けられていて、そのリセスの壁が、下方へと縦糸に向かって延びているリフターコードの部分を案内し得る、請求項１ないし１２のいずれか１項に記載のジャカード織機のリフター機構。
【請求項１４】
請求項１ないし１３のいずれか１項に記載の、ジャカード織機の幾つかのリフター機構の配置において、組み合って働くフックの列の組み合った対でのフック（２９，３０）と相互作用するリフター機構のローラエレメント（３１）が、それら列と平行して動作する同一のセクション部材（３５）上に互いに隣り合って固定されていることを特徴とする、ジャカード織機での幾つかのリフター機構の構成体。
【請求項１５】
組み合って働くフックの列の組み合った対でのフック（２９，３０）と相互作用する前記のローラエレメント（３１）は、セクション部材（３５）に固定されているが、そのセクション部材は、その上面において、少なくとも一つの突起したエッジ（３４）を有していて、そのエッジは、Ｔ字形の断面を有して長さ方向に延びており、その形と寸法は前記のＴ字形のリセス（３３）と対応しており、そのエッジ（３４）に前記のローラエレメント（３１）が、Ｔ字形のエッジ（３４）がＴ字形のリセス（３３）の中に入ることによって固定されている、請求項１４項記載の、ジャカード織機での幾つかのリフター機構の構成体。
【請求項１６】
組み合って働く複数のフック列の異なる複数のフック対（２９，３０）と相互作用する複数のローラエレメント（３１）は、隣り合った別々のセクション部材（３５）に固定されており、それら別々のセクション部材（３５）は、相互に結合されて、固定または可動のグレートを形成している、請求項１４または１５に記載の、ジャカード織機での幾つかのリフター機構の構成体。
【請求項１７】
各セクション部材（３５）には、Ｔ字形の断面を有して突起している二つのエッジ（３４）が設けられており、組み合って働く複数のフック列の隣接する複数のフック対と相互作用する複数のローラエレメント（３１）は、同一のセクション部材（３５）または隣接するセクション部材（３５）の隣接するエッジ（３４）上に固定されており、ローラエレメント（３１）が隣接するセクション部材（３５）の隣接する他のエッジ（３４）上に固定されているリフター機構が、それぞれのリフターコード（４７）が同じセクション部材の間を下方へと縦糸に向かって延び、２本のリフターコード（２８，４７）が結合されている前記リフター機構の複数のフック（３０）は互いに向き合うように配置されている、請求項１４ないし１６のいずれか１項に記載のジャカード織機での幾つかのリフター機構の構成体。
【請求項１８】
請求項１ないし１７のいずれか１項に記載のリフター機構が少なくとも一つ設けられているジャカード織機。
【発明の詳細な説明】
【０００１】
【産業上の利用分野】
ここで説明する本発明は、ジャカード織機のリフター機構に関する。
【０００２】
【従来の技術】
面合わせ（ｆａｃｅ−ｔｏ−ｆａｃｅ）織りの織機に関しては、種々のパイル縦糸が各回のピックの前に正しい位置に置かれることにより、所望のパターンで、所望の織り方の織物が織られることが、ジャカード織機によって確実にされる、と知られている。
【０００３】
そのようなジャカード織機は、少なくとも二つのフックの列と、フックの各列を相互に逆位相で連続して上がり下がりさせる二つのナイフを含んでいて、それらナイフは、その列のフックを連行し得るが、それらナイフの上下動の１サイクルまたはより多くのサイクルの間に亘って、所望により、選択機構または他の手段によって、各々のフックをその上方位置または下方位置（それはジャカード織機の設計に依存する）に保持することができる。
【０００４】
そのようなフックの列の二列が、組み合って働くフックの列（相補的なフック列）と呼ばれていて、二つのフックの各々はそれらが組み合って働くフックの列の各一方に属していて、相互にじかに向き合うように位置し、相補的なフックの１セットとして知られている。組み合って働くフックの１セットまたは２セットでのフックが、それらフックと、リフターローラと、それらリフターローラの回りに置かれたリフターコードと、リフターコードに結合された縦糸、という相互結合によって課せられる相互作用があることによって、１本またはより多くの縦糸を（ハーネスコードを介して）、相互作用するフックが種々の位置をとる結果として、種々の高さへと動かし得る。言葉を変えて言うならば、同じリフター機構と相互作用するフックの中のいずれを選択するか選択しないかによって、そのリフター機構のリフターコードに結合された縦糸が、面合わせ織物ができるように、各回のピックの前に、所望の位置へと動かすことができる。この原理は知られており、それを以降において例を示して説明する。その説明では添付の図１を参照することとする。
【０００５】
幾つかの場所を面合わせ織物に織るためには、引き続いての２回のピックの間に、パイル縦糸が、上側織物と下側織物において、横糸に対しての三つの位置、すなわち、それら横糸の上、それら横糸の下、および、それら横糸の間、の三つの位置に置かれ得ることが必要である。それら位置は、それぞれ、上位、下位および中位の名称で知られている。これら三つの位置の選択を可能にするために、三つのリフターエレメント１，２，３（図１参照）が用いられる。各々のリフターエレメントは、一方が他方の上にある二つの回転するローラ１’，１’’；に’，２’’；３’，３’’を含んで成っている。
【０００６】
組み合って働くフックの２セット９，１０；９’，１０’の各々での二つのフックは、下方に吊り下がっているリフターコード、一方は７他方は８、で相互に結合されていて、その下方に吊り下がった部分は、一方のものはリフターエレメント１の上側ローラ１’の下側、他方のものはリフターエレメント２の上側ローラ２’の下側に掛かっている。リフターコード６が、その一方の端でローラ１’’，２’’よりも下方の固定点に結合され、リフターエレメント１のローラ１’’の上側に掛かってから下方に吊り下がり、リフターエレメント３の上側ローラ３’の下側に掛かり、そこからは最後としてリフターエレメント２のローラ２’’の上側に掛かってからそこより下方にある固定点に、他方の端で結合されている。
【０００７】
リフターコード４が、最下方のリフターエレメント３の下側ローラ３’’の上側に掛かっていて、下方にある一方の端ではハーネスコードを介して１本またはより多くのパイル縦糸に結合されており、他方の端では固定または可動の（つまり操作される）点、つまりグレート５に結合されている。
【０００８】
もし、四つのフックのどれも選択されなかったならば、一方ではフック９がフック１０と逆位相で上がり下がりし、他方ではフック９’がフック１０’と逆位相で上がり下がりする。したがって、リフターエレメント１，２は、同じ高さを保持する。リフト動作が起こらないから、パイル縦糸は下位の位置に止まったままである。
【０００９】
もし、フックのうちの一つのもの、例えばフック９がそれの上方位置に選択されたならば、フック１０がナイフによって持ち上げられた（高さｈだけ）後には、リフターエレメント１は高さｈ／２だけ持ち上げられる。フック９’もフック１０’も選択されなかったから、リフターエレメント２は持ち上がることがない。リフターエレメント１が高さｈ／２だけ持ち上がった結果、リフターエレメント３が同じだけ（高さｈ／２）持ち上がり、その結果として、パイル縦糸は高さｈだけ持ち上がる。それら縦糸は中位の位置に来る。フック１０がそれの下方位置にあるときには、それら縦糸は下位の位置にある。
【００１０】
ところでもし、組み合って働くフックの各セットで一方のフック（例えば９と９’）がそれの上方位置に選択されたならば、フック１０と１０’が持ち上がったときに両方のリフターエレメント１，２が高さｈ／２だけ持ち上がる。その結果としてリフターエレメント３が高さｈだけ持ち上がり、その結果としてパイル縦糸は高さ２ｈだけ持ち上がる。それら縦糸は上位の位置に来る。フック１０，１０’がそれらの下方位置にあるときには、それらパイル縦糸は下位の位置にある。
【００１１】
フックが種々に選択できることと、グレート５を別のレベルに例えばいずれかのフックと一緒に動かすことができるので、パイル縦糸は、引き続く２回のピックの間に三つの位置に動かすことができる。
【００１２】
この公知のリフター機構での大きい欠点は、組み合って働くフックの２セット９，１０；９’，１０’が必要であることの結果として、機械が大きく高価になることにある。
【００１３】
この欠点は、１９９０年５月３１日に登録されたベルギー特許第０９０００５５９号によって開示されたリフター機構によれば除かれる。
【００１４】
この特許はジャカード織機のためのリフター機構に関していて、そのリフター機構は、組み合って働くフックの１セツトだけと結合されればよいものであり、なお、これによれば、それらフックを選択するか選択しないかによって、各２ショットパターンの繰り返しの都度、縦糸を三つの位置に移動することが可能である。
【００１５】
上記の特許は可能な二つの実施態様を記述しており、それらが添付の図２（ａ），（ｂ）に示されている。図２（ａ）に示す第１の実施態様においては、下方に吊り下がったリフターコード１３の各端が、組み合って働く二つのフック１１，１２の各々に結合されている。このリフターコード１３は、リフターエレメント１４の上側ローラ１４’に掛かっている。フック１１，１２のうちの一方のものに、第２のリフターコード１５の一方の端が結合されていて、その第２のリフターコードは、リフターエレメント１４よりも下方まで吊り下がり、リフターエレメント１７の上側ローラ１７’の下側に掛かって反転して上向きになり、リフターエレメント１４の下側ローラ１４’’の上側に掛かってから、そのローラ１４’’よりも下方にある固定または操作可能のグレート１６に結合されている。リフターエレメント１７の下側ローラ１７’’には第３のリフターコード１８が掛かっていて、その第３のリフターコードは、下方にある一方の端で１本またはより多くのパイル縦糸に（ハーネスコードを介して）結合されており、リフターエレメント１７の下側ローラ１７’’よりも下方にある他方の端で、固定または操作可能のグレートに結合されている。
【００１６】
図２（ｂ）に示す第２の実施態様においては、最も上方のリフターエレメント１４は、組み合って働く二つのフック１１，１２の一方のものに結合されており、別のリフターコード２１が、一方の端で他方のフックに１２に結合されて、そこから、リフターエレメント１４よりも下方へと延びて、リフターエレメント１７の上側ローラ１７’の下側に掛かって反転して上向きになり、リフターエレメント１４の下側ローラ１４’’の上側に掛かって反転して下向きになり、他方の端で、固定または操作可能なグレート１６に結合されている。リフターエレメント１７の下側ローラ１７’’にはリフターコード１８が掛かっていて、そのリフターコードは、下方にある一方の端ではハーネスコードを介してパイル縦糸に結合されており、やはり下方のレベルにある他方の端では、固定または操作可能のグレート１９に結合されている。
【００１７】
もし、フック１１（または１２）がそれの上方位置に選択され、グレート１６，１９は固定されているとすれば、他方のフック１２（または１１）が持ち上げられた後には、縦糸は高さ２ｈだけ持ち上げられ、下位の位置から上位の位置へと動く。
【００１８】
もし、どのフックも選択されなかったならば、縦糸は、フック１１を持ち上げることによって高さｈだけ持ち上がり、下位の位置から中位の位置へと動かされる。
【００１９】
ところでもし、この機構に、一方のグレート（例えばグレート１６）をナイフ１２’でもってフック１２と一緒に、高さｈだけ持ち上げる手段が設けられたならば、フック１２を持ち上げた後には、縦糸は、グレートが固定されていたときよりも距離ｈだけ低いところに来る。
【００２０】
この公知のリフター機構によって可能なことのすべての詳しい説明が欲しいならば、ベルギー特許第  ９０００５５９号を参照すればよい。
【００２１】
上記において説明したリフター機構は、組み合って働く二つだけのフックと、二つのリフターエレメントと、二つのグレート、でもってパイル縦糸のための三つの位置を作り出す一つの解答である。
【００２２】
しかし、この解答の一つの欠点は、二つのリフターエレメントと二つのグレート１６，１９が必要であることの結果として、機械の全体では垂直方向に大量のスペースを占領することとなり、したがって、このリフター機構が設けられたジャカード織機は、ハーネスコードボードにおけるハーネスコードの入射角度を容認できる程度にするためには、極めて高いレベルに据付けられねばならない、ということにある。
【００２３】
【発明が解決しようとする課題】
本発明の目的は、機構が高さにおいてもっとコンパクトであるような、ジャカード織機のためのリフター機構を提供することにある。
【００２４】
【課題を解決するための手段】
本発明の主題はジャカード織機のためのリフター機構であって、それにおいては、組み合って働くフックの各セットに対して、一つのリフターエレメントと、グレートに固定された一つのローラエレメントが設けられている。各々のリフターエレメントは、共通の構造で取り付けられた二つの回転するローラを含んでいて、それぞれのリフターコードをそれらローラの周りに案内することができる。
【００２５】
各々のローラエレメントには、一つの回転するローラが設けられていて、リフターコードをそのローラに掛けて案内することができる。
【００２６】
この機構は下記のように組み立てられている。１本のリフターコードの一方の端が、組み合って働くフックのセットの一方のフックに結合されている。このリフターコードは、最も上部のローラの下側を回って通り、他方の端で、組み合って働くフックのセットの他方のフックに結合されている。このようにしてリフターエレメントは、それらフックから、リフターコードによって吊り下げられている。
【００２７】
ローラエレメントは、リフターエレメントの下方において、位置を固定して配置されている。第２のリフターコードが、一方の端で、上記の二つのフックの一方のものに（第１のリフターコードの隣りに）結合され、そこから下方へと延び、ローラエレメントの回転するローラの下側を回って通り、上向きに戻り、リフターエレメントの下側ローラの上側を回って通り、そこからは下向きにのびている。このリフターコードの下方へと吊り下がった端に、ハーネスコードが取り付けられている。
【００２８】
本発明によるこのリフター機構でもって縦糸の三つの可能な位置を作り出すことは、フックの種々の可能な選択、すなわち、どのフックも選択しないか、一方または他方のフックをそれの上方位置または下方位置（それは本発明の実施態様に依存する）に選択し、他のフックはナイフと共に上がり下がりさせるか、によって得られる。
【００２９】
１本のリフターコードが結合されているフックがそれの上方位置に選択されたならば、組み合って働いている他方のフックがナイフによって下方そして上方の位置に動かされたときに、それぞれハーネスコードによって担持されている縦糸は、下位そして上位の位置に来る。
【００３０】
２本のリフターコードが結合されているフックが選択されたのであれば、組み合って働いている他方のフックがナイフによって下方そして上方の位置に動かされたときに、それぞれハーネスコードによって担持されている縦糸は、中位そして上位の位置に来る。
【００３１】
もし、どのフックも選択されなかったのであれば、１本のリフターコードが結合されているフックまたは２本のリフターコードが結合されているフックが、ナイフによって上方位置に動かされたときに、ハーネスコードによって担持されている縦糸は、下位そして中位の位置に来る。このようにして、この機構は、一つのハーネスコードごとに１セットだけ、組み合って働くフックを必要としていながら、二つのナイフが逆位相で上下動するサイクルを続けて２サイクルする際に、縦糸のために三つの相異なる位置を作り出すことができる。
【００３２】
本発明の一つの利点は、フックの１セットごとに一つのリフターエレメントと一つの固定のローラエレメントだけを用いることによって、機構の高さが、公知の機構よりも大いにコンパクトになっていることである。
【００３３】
フックの１セットごとに一つのリフターエレメントと一つのローラエレメントだけが必要であることの故に、本発明のさらにある利点は、部品の数が限定されて、機構が簡単で安価になることにある。
【００３４】
本発明による機構は、ジャカード織機の組み合って働くフックのセットのすべて（または幾つかのもの）に、そのどんな場合にも設けることができる。それらフックのセットは、一つまたはより多くの、組み合って働く列の対を形成していてもよい。その場合には、複数のリフターエレメントが、その各々がそれぞれにフツクのセットの下方に吊り下げられて列をなすように並び、各ローラエレメントはそれぞれにリフターエレメントの下方に吊り下げられる。同じジャカード織機においての、本発明による機構の幾つかのこのような配置が、本発明の別の主題になっている。
【００３５】
本発明による配置の一つの望ましい実施態様においては、組み合って働くフックの列の同じ対に属するローラエレメントは、それら列の下方においてほぼ水平に延びていてそれら列に平行になっている一つのセクション部材に取り付けられている。そのような、ローラエレメントを担持しつつ相互に隣り合っている幾つかのセクション部材が、相互に結合されて一つのグレートを形成していてよい。そのような一つのセクション部材または幾つかの（相互に結合されているか、またはそうでない）セクション部材は、位置固定にされてもよいし、可動（つまり操作可能）にすることができる。
【００３６】
本発明による機構の別の実施態様においては、リフターエレメントの少なくとも一つのローラ、またはローラエレメントのローラの配置または設計は、垂直方向に延びるリフターコードがそのローラに掛けられて反転し、垂直方向に向けられたときに、リフターコードの垂直な二つの部分は、ナイフの方向に対して直角な別々の面内にあり、リフターエレメントおよび／またはローラエレメントの側方外面はナイフの方向に対して直角をなすようにする。
【００３７】
すべてのローラ（リフターエレメントとローラエレメントの両者の）がこのように設計／配置されているのが望ましい。その目的は、一つには、相互に近接した垂直なリフターコードの部分が相互に擦り合うことを避けるためであり、さらに一つには、リフターエレメントが角度をもって吊り下がることを避けるためである。これらの問題は、従来は、最大直径が相異なる複数のローラを用いることによって避けられていた。
【００３８】
したがって、この実施態様の利点は、同じ最大直径のローラがどこにでも用いることができることにある。
【００３９】
本発明によるこの機構の一つの望ましい実施態様においては、角度をもって置かれたシャフト上にローラを取り付けることによって上記の特徴が得られている。ここで、角度をもって置かれたという意味は、リフターエレメントおよび／またはローラエレメントの側方外面はナイフの方向に対して直角をなしているが、上記のシャフトはナイフの方向にのびている垂直面の中にはない、ということである。
【００４０】
【実施例】
本発明によるジャカード織機でのリフター機構や幾つかのリフター機構の配置における他の特徴や利点は、一つの望ましい実施例の詳細な説明によって示される。ただし、それによって本発明がこの実施例だけに限定されるものではない。
【００４１】
添付の図面は、一部分においては前述の従来技術を示していて、それは図１と図２である。
【００４２】
それ以外の添付図面は、以降に説明される本発明の望ましい実施例を示していて、それは図３から図６までである。
【００４３】
本発明によるリフター機構の一つの望ましい実施例は、一つのリフターエレメント２１を含んでいて、そのリフターエレメントは、相互に平行であって相互にじかに向き合っていて間に幾らかの間隔をおいて相互に結合されている二つの一方に長い形の側板２２，２３を含んで成っている。これら側板２２，２３の両方の端付近において、シャフト２４，２５が、両側板２２，２３の間を、一方の側板２２から他方の側板２３へと延びている。両側板２２，２３は、これらシャフトを介して相互に結合されている。
【００４４】
シャフト２４，２５の上に、回転するローラ２６，２７が、それぞれに取り付けられている。シャフト２４，２５は、相互に平行であって、側板２２，２３の外面に対しては直角ではない。
【００４５】
したがって、シャフト２４，２５の軸線と、シャフト２４，２５のレベルでの側板２２，２３の一方の側板の垂線との間の角度αは、どちらででも同じである。
【００４６】
リフターコード２８が、一方の端でフック２９に、フック２９の垂直方向の対称軸線上の点で結合されて、そこから垂直方向下方へと延び、ローラ２６に掛かって反転してから上方に延び、他方の端でフック３０に、フック３０の垂直方向の対称軸線上ではない点において結合されている。リフターコード２８のフック３０への結合点がそのフックの中心線上ではないのは、同じフック３０に第２のリフターコードも、結合されねばならないからである（下記参照）。
【００４７】
したがって、ローラ２６のシャフト２４の軸線と、側板２２、２３の外面上での垂線の間の角度αは、側板２２，２３の外壁はナイフの方向に対して直角な面内にあるものの、リフターコード２８が、ナイフの方向に対して直角であってフック２９，３０の垂直方向の対称線を含む垂直面の中にある一つの固定点から下方へと延び、ローラ２６の下側を通り、そしてナイフの方向に対して直角な別の垂直面内を上向きに延びて他方の固定点に至る、ということが可能になるような角度である。
【００４８】
ローラエレメント３１は、ビーム形のベース部分３２を有していて、そのベース部分には下側壁で開いているＴ字形のリセス３３が設けられているので、ローラエレメント３１は、セクション部材３５の一つの突出したエッジ３４、すなわち、そのセクション部材の上にローラエレメント３１を固定するべくＴ字形のリセス３３の中に嵌まるエッジ３４に、押し込みによって嵌めることができる。ローラエレメント３１は、ベース部分３２をエッジ３４の一端から滑らせて嵌めたり一端から滑らせて外すということだけで、そのエッジに取り付けたりそれから取り外したりすることができる。
【００４９】
ベース部分３２の上側には、それと直角をなして直立のリブ３２’が幅方向に延びて設けられていて、そのリブの上にブッシュ３９が、ベース部分３２の長さ方向に延びるように取り付けられている。このブッシュ３９の中にはシャフト４０が、そのブッシュのどちら側にも突出して回転可能なように取り付けられている。
【００５０】
ところで、その回転するシャフト４０の両端には、側板３６と側板４１がそれぞれ固定されている。両方の側板３６，４１は、下方領域において、平行なエッジのある長い形の部分３６’，４１’を有しており、それぞれ上端には幅広のヘッド部３６’’，４１’’があって、それらヘッド部は上部で丸くなっている。その側板３６の内面でのヘツド部３６の中心にシャフト３７が固定されていて、そのシャフト３７上に、回転するローラ３８が取り付けられている。
【００５１】
他方の側板４１のヘッド部４１’’は、内面において左右円形対称の凹部（キャビティ）４２を有していて、その凹部の中心に開口４４が設けられている。前記の凹部４２と開口４４の形状／寸法と、側板４６におけるそれらの位置は、両方の側板３６，４１が結合されたときに、シャフト３７が開口４４の中に押し込まれ、ローラ３８は部分的に凹部の壁で包囲され、両方の側板３６，４１の間とローラ３８の回りには、リフターコード４７が上方からこのローラ３８の下側を経て反転して上方へ向かって通されるのに十分なスペースが残されており、ローラ３８はそれの軸線３７の回りで回転し得る、ということになるように決められている。
【００５２】
側板４１は、下方部分４１’の内側においてＵ字形の掘り下げ部分４３を有していて、その掘り下げ部分の互いに平行な両方の壁４３’は、その側板４１の下端から出発して上方において一つの曲線壁４３’’を介して相互に合体している。この掘り下げ部分４３には、曲線壁４３’’の近くにおいて開口４５が設けられている。この掘り下げ部分４３と開口４５の位置／形状／寸法は、両方の側板３６，４１が結合されたときに、シャフト４０の端部が開口４５の中に押し込まれ、ブッシュ３９もリブ３２の上側も、その側板４１のＵ字形の掘り下げ部分４３の壁４３’，４３’’によって包囲される、ということになるように決められている。ローラエレメント３１の側板４１の外面壁の片側において、幅が広くなった上方部分４１’’の高さ全体に亘っているリセス４６が設けられている。このリセス４６は、幅が広くなっている部分４１’’の上端から、その部分４１’’が一方に長い形の部分４１’に合体する所に至るまでの間に、凹んだアングル（そのアングルを形成する二つの壁の相互間の丸みのついた移行部を有する形の）を形成している。
【００５３】
シャフト３７は、側板３６に対して直角になってはいない。シャフト３７の軸線と、シャフト３７のレベルにおいての側板３６の外面上での垂線の間に角度βが作られていて、その角度βは、角度αに等しいが、垂線に関しては角度αとは反対の側に振れている。
【００５４】
リフターコード４７は、フック３０に、中心線上の垂直線上ではなくて、リフターコード２８の結合点の隣りであって中心線上の垂直線に関しては反対側である点に結合されている。リフターコード４７は、垂直方向下方へと延び、ローラエレメント３１のローラ３８の下側に掛かっている。リフターコード４７は、そこで反転して上向きになり、リフターエレメント２１のローラ２７の上側に掛かって反転し、そこからは垂直方向下方へと延びている。
【００５５】
ローラ３８の軸線が、側板３６の外面上での垂線となす角度βは、リフターコード４７が、フック３０との結合点（中心線上ではない）から、ナイフの方向に対して直角な一つの垂直面内を下方へと延び、ローラ３８の下側にかかって反転し、そこからは、ナイフの方向に対して直角な別の一つの面、すなわち、フック２９，３０のそれぞれの中心線上の垂直線を含む面の中を上向きに延びて行くことができ、ローラエレメント３１の側板３６，４１の外壁は、ナイフの方向に対して直角な面内にある、ということになるような角度である。
【００５６】
ローラ２７のシャフトが側板２３への垂線と角度αをなしていることによって、リフターコード４７は、ローラ２７にかかった後には、フック２９，３０の対称線を含む垂直面から、それに平行な一つの垂直面、すなわち、リフターコード２８のフック３０への結合点をも含む垂直面へと移ることとなり、リフターコード４７は、その面の中を下方へ、セクション部材３５同志の間を通って延び、その下方において縦糸に至っている。
【００５７】
したがって、ローラ２７から吊り下がっているリフターコード４７の部分は、フック３０への結合点から下向きに延びているリフターコード４７の部分に、幾らかの間隔をおいて隣接しており、それらリフターコードの部分の両者は、フック２９，３０の対称中心線を含む面に関しては互に反対の側にある。
【００５８】
ローラエレメント３１、より特定的に言うならばリセス４６、の設計は、ローラ２７から吊り下がっているリフターコード４７の部分が、ローラエレメント３１のレベルにおいてはリセス４６の中を下向きに延びて行く、というようになっている。
【００５９】
リフターエレメント２１の一つの追加的な特徴は、側板の一方のもの２３が、下向きに延びて行くリフターコード４７が沿っているところの、垂直方向に延びているエッジの外側において、高さ全体に亘り壁には丸みがついているリセス４８を有し、そのリセスがリフターコード４７を案内できることにある。
【００６０】
ローラエレメント３１の両方の側板３６，４１は、ベース部分３２に対しては、シャフト４０でヒンジ結合になっている。このヒンジ結合によって、傾斜した開口体（ｓｈｅｄ）に沿ってグレートが動いた結果としてローラエレメント３１の中で曲げモーメントが生ずることが防止される。
【００６１】
本発明による機構の幾つかのものの望ましい配置においては、相互に平行に、一定の間隔をおいて置かれた幾つかのセクション部材３５で成るグレートが設けられている。そのグレートは、それらセクション部材３５がナイフと平行になるように置かれている。セクション部材３５の各々のものの上側には、２本の互いに平行な、突起したＴ字形プロフィルのエッジ３４が設けられている。それらエッジ３４上に、幾つかのローラエレメント３１が列をなして固定される。各セクション部材３５の位置や、それらセクション部材３５のエッジ３４の上での各ローラエレメント３１の位置は、本発明による機構の、リフターコード２８，４７、およびリフターコードによって繋げられているリフターエレメント２１とローラエレメント３１は垂直方向に延在し、垂直方向に延在するリフターコードの部分と外壁がそれぞれナイフの方向に対して直角な垂直面の中に位置するような位置である。
【００６２】
互いに隣り合って延びている二つのリフター機構の列、及び、隣り合うセクション部材３５の隣り合う壁３４に取り付けられているローラエレメント３１の配置は、それぞれのリフターコード４７が同じセクション部材３５の間を下向きに縦糸に向かって延び、そして、２本のリフターコード２８，４７が結合されていて、リフター機構の二つのそのような列と相互作用するフックが、従って互いに近接して位置され、且つ、異なる列のリフターエレメント２１とローラエレメント３１はリセス４８，４６が互いに向き合うように懸架或いは固定されるようになっている。
【００６３】
本発明のさらにある利点は、セクション部材３５上にローラエレメント３１を滑らせて取り付けることであって、このことの故に、必要によりリフター機構の部品の交換をするときのリフターへの良好な接近性が得られる。
【００６４】
【発明の効果】
以上説明したように本発明はフックの１セットごとに一つのリフターエレメントと一つのローラエレメントだけが用いられることによって、機構の高さが、従来の機構よりも大幅にコンパクトになり、また、部品の数を減ずることができ、機構が簡単で安価Ｕ成るという効果がある。
【図面の簡単な説明】
【図１】三つのリフターエレメントと、２セットの組み合って働くフックを用いている、ジャカード織機のための公知のリフター機構の概略的側面図である。
【図２】二つのリフターエレメントと、１セットの組み合って働くフックを用いている、ジャカード織機のための公知のリフター機構の二つの実施例の概略的側面図であり、（ａ）は第１の実施態様を示す図であり、（ｂ）は第２の実施態様を示す図である。
【図３】組み合って働くフックの列の三つの対になつている６セットの組み合って働くフックに繋がっている、六つの本発明によるリフター機構の配置を示す斜視図である。
【図４】図３に示した本発明によるリフターエレメントの上面図である。
【図５】本発明によるリフターエレメントのローラエレメントの解体された姿を示す斜視図であり、（ａ）はベースを含む図、（ｂ）は（ａ）に示すシャフト４０に嵌合されるヘッド部を示す図である。
【図６】図５（ａ），（ｂ）に示す解体されたローラエレメントの別の方向から見た斜視図である。
【符号の説明】
１，２，３    リフターエレメント
１',２',３',１",２",３"  ローラ
４，６，７，８    リフターコード
４'
５    グレート
９，１０，９',１０'  フック
１１，１２    フック
１１',１２'  ナイフ
１３，１５，１８，２１，２２    リフターコード
１４，１７    リフターエレメント
１４',１７',１４",１７"  ローラ
１６，１９    グレート
２０
２１    リフターエレメント
２２，２３    側板
２４，２５    シャフト
２６，２７    ローラ
２８    リフターコード
２９，３０    フック
３１    ローラエレメント
３２    ベース部分
３２'   リブ
３３    リセス
３４    エッジ
３５    セクション部材
３６    側板
３６'  一方に長い形の部分
３６"  ヘッド部分
３７    シャフト
３８    ローラ
３９    ブッシュ
４０    シャフト
４１    側板
４１'  一方に長い形の部分
４１"  ヘッド部分
４２    キャビティ
４３    掘り下げ部分
４３'  壁（平行部）
４３"  壁（曲線部）
４４    開口
４５    開口
４６    リセス
４７    リフターコード
４８    リセス
【図１】
0003544684.tif 000002
【図２】
0003544684.tif 000003
【図３】
0003544684.tif 000004
【図４】
0003544684.tif 000005
【図５】
0003544684.tif 000006
【図６】
0003544684.tif 000007